(57)【要約】【課題】膜分離手段での詰まりを防止して耐久性向上を図ることができ、かつ、省スペース化、小型化を実現することができる排水処理装置を提供する。【解決手段】排水処理装置１は、界面活性剤を含む排水を処理するための排水処理装置１であって、流量調整槽１１と、流量調整槽１１の下流に配置された排水処理槽１２と、を設け排水処理槽１２内に、ばっ気手段７１と、ばっ気手段７１の下流側に配置された複数枚の平膜７３・７３・７３・・・を有する膜分離手段７２と、膜分離手段７２の下方に配置され、膜分離手段７２に対してばっ気するための膜分離手段用ばっ気手段７４と、を設け、ばっ気手段７１及び膜分離手段用ばっ気手段７４へ空気を供給する一個のブロワ８１を設けた。【選択図】図１
2013116453.tif 000002
【特許請求の範囲】
【請求項１】
界面活性剤を含む排水を処理するための排水処理装置であって、流量調整槽と、前記流量調整槽の下流に配置された排水処理槽と、を設け前記排水処理槽内に、ばっ気手段と、前記ばっ気手段の下流側に配置された複数枚の平膜を有する膜分離手段と、前記膜分離手段の下方に配置され、前記膜分離手段に対してばっ気するための膜分離手段用ばっ気手段と、を設け、ばっ気手段及び膜分離手段用ばっ気手段へ空気を供給する一個の空気供給手段を設けた排水処理装置。
【請求項２】
前記ばっ気手段への空気の供給を制御するための制御手段を設け、前記制御手段は、前記ばっ気手段に間歇的にばっ気を行わせた請求項１に記載の排水処理装置。
【請求項３】
前記膜分離手段は、複数枚のシート状の平膜を有しており、前記複数枚の平膜は前記排水処理槽内における排水の流れに対して正対するように配置された請求項１または２に記載の排水処理装置。
【請求項４】
前記膜分離手段の上方に、凝集剤を散布する凝集剤散布手段を設けた請求項１から３の何れか一項に記載の排水処理装置。
【発明の詳細な説明】
【技術分野】
【０００１】
本発明は、排水処理装置の技術に関し、特に、界面活性剤を含む排水を処理するための排水処理装置の技術に関する。
【背景技術】
【０００２】
従来、好気性微生物の作用による生物処理と膜の濾過作用による膜分離処理とを組み合わせた排水処理を行う排水処理装置が公知となっている。排水処理装置は、貯留槽にばっ気手段を設け、空気を与えることにより好気性微生物の活動を活発化させて、排水のＢＯＤ（生物学的酸素要求量）やＣＯＤ（科学的酸素要求量）を低減させる生物処理を行う。また、排水処理装置は、前記生物処理によってＢＯＤやＣＯＤが低減された排水を、膜分離手段を用いて濾過して排水内に残留している汚泥を除去し、ＢＯＤやＣＯＤを更に低減させる膜分離処理を行う。膜分離手段は、平膜を有する浸漬型の膜分離手段が公知となっている。
【先行技術文献】
【特許文献】
【０００３】
【特許文献１】特開平８−２５２５９９号公報
【発明の概要】
【発明が解決しようとする課題】
【０００４】
生物処理と膜分離処理とを組み合わせた排水処理を行う排水処理装置は、ばっ気手段用の水槽と膜分離手段用の水槽とを別途設けていたため、水槽や水槽同士を繋ぐ配管が必要となりサイズが大型化していた。
一方、近年、理美容業界やクリーニング業界などの比較的小規模な施設で営業している業界においても、排水処理の必要性が高まってきている。上記業界において、営業施設から排出される排水は数トン〜数十トン／日であり、従来の排水処理装置で処理するには少なすぎる量であった。また、営業施設が都市部にあることも多いため、スペースの問題から小型の排水処理装置が必要であった。
また、上記業界において、営業施設から排出される排水は、洗剤などの界面活性剤を含む排水である場合が多く、排水処理装置が膜分離手段を用いた膜分離処理のみを行う場合には、界面活性剤がコロイド化して膜分離装置に付着し、詰まりを引起すため短い稼動期間でも処理効率が著しく低下していた。
【０００５】
そこで本発明は係る課題に鑑み、膜分離手段での詰まりを防止して耐久性向上を図ることができ、かつ、省スペース化、小型化を実現することができる排水処理装置を提供する。
【課題を解決するための手段】
【０００６】
本発明の解決しようとする課題は以上の如くであり、次にこの課題を解決するための手段を説明する。
【０００７】
即ち、請求項１においては、界面活性剤を含む排水を処理するための排水処理装置であって、流量調整槽と、前記流量調整槽の下流に配置された排水処理槽と、を設け前記排水処理槽内に、ばっ気手段と、前記ばっ気手段の下流側に配置された複数枚の平膜を有する膜分離手段と、前記膜分離手段の下方に配置され、前記膜分離手段に対してばっ気するための膜分離手段用ばっ気手段と、を設け、ばっ気手段及び膜分離手段用ばっ気手段へ空気を供給する一個の空気供給手段を設けたものである。
【０００８】
請求項２においては、前記ばっ気手段への空気の供給を制御するための制御手段を設け、前記制御手段は、前記ばっ気手段に間歇的にばっ気を行わせたものである。
【０００９】
請求項３においては、前記膜分離手段は、複数枚のシート状の平膜を有しており、前記複数枚の平膜は前記排水処理槽内における排水の流れに対して正対するように配置されたものである。
【００１０】
請求項４においては、前記膜分離手段の上方に、凝集剤を散布する凝集剤散布手段を設けたものである。
【発明の効果】
【００１１】
本発明の効果として、以下に示すような効果を奏する。
【００１２】
請求項１においては、膜分離手段による膜分離処理を行うよりも前に生物処理によって難分解性の界面活性剤の大部分を除去することにより、膜分離手段での界面活性剤のコロイド化を防止し、詰まりを防止することができる。そのため、装置の耐久性向上を図ることが可能となる。また、メンテナンス作業を省略することも可能となる。
また、ばっ気手段と膜分離手段とを排水処理槽内に一緒に配置したことにより、装置の省スペース化、小型化を実現することが可能となる。
また、ばっ気手段及び膜分離手段用ばっ気手段へ空気を供給するための空気供給手段を共通にすることにより、装置の省スペース化、小型化、及び省エネルギー化を実現することが可能となる。
【００１３】
請求項２においては、ばっ気手段を定期的に停止させることができるので、省エネルギー化を実現することが可能となる。
【００１４】
請求項３においては、膜分離手段の平膜において排水が通過する面積が大きくなるため、装置の排水処理効率の向上を実現することが可能となる。
複数枚の平膜を排水の流れに対して正対するように配置することにより省スペース化を実現することが可能となる。
【００１５】
請求項４においては、凝集剤を散布することにより膜分離手段に付着した界面活性剤などから構成される汚泥が凝集し沈殿するため、装置の耐久性向上を図ることが可能となる。また、膜分離手段のメンテナンス作業を省略することも可能となる。
【図面の簡単な説明】
【００１６】
【図１】本発明の一実施形態に係る排水処理装置の全体的な構成を示したブロック図。
【図２】排水処理装置を示した斜視図。
【発明を実施するための形態】
【００１７】
次に、図１を用いて発明の実施の形態を説明する。
排水処理装置１は、界面活性剤を含む排水を処理するための装置であって、図１に示すように、流量調整槽１１と、流量調整槽１１の下流に配置された排水処理槽１２と、を設ける。界面活性剤を含む排水とは、例えば、クリーニング業においては、店舗や小規模の工場から排出される、石鹸、ＡＢＳ（アルキルベンゼンスルホン酸塩）、ＬＡＳ（直鎖アルキルベンゼンスルホン酸塩）等の界面活性剤を含む排水であり、理美容業においては、店舗から排出される洗髪液、毛染め液、パーマ液等の界面活性剤を含む排水である。
また、排水処理装置１には、流量調整槽１１と排水処理槽１２との間に配管２２を設けており、配管２２には移送ポンプ３２を設けている。
【００１８】
流量調整槽１１は、排水処理槽１２内に流入する排水の量を調整するための水槽であり、店舗等から排出された排水が一時的に貯溜される。流量調整槽１１の上流側には、店舗等から排出された排水を送り込むための流入ポンプ３１が設けられている。また、流入ポンプ３１の下流側であって流量調整槽１１の上流側には、固形物捕集装置４１が設けられている。
流量調整槽１１の内部には、水位センサ５１が設けられており、水位センサ５１は制御装置６０に接続されている。
流量調整槽１１の下部には、沈殿した汚泥を引抜くための引抜き通路３５が設けられており、引抜き通路３５には引抜き弁３６が設けられている。
流入ポンプ３１及び移送ポンプ３２は、電動ポンプであり制御装置６０に接続されている。流入ポンプ３１及び移送ポンプ３２は、制御装置６０によって「入」状態と「切」状態とを切り換えることができる。
固形物捕集装置４１は、流量調整槽１１内に流入する排水に含まれる固形物を除去するための装置であり、例えば網で構成されている。排水に含まれる固形物とは、例えば、クリーニング業においては、糸くずや洗剤の残渣であり、理美容業界においては、髪の毛やシャンプーの残渣である。
【００１９】
排水処理槽１２は、排水内の汚泥を除去して排水のＢＯＤやＣＯＤを低減するための水槽である。排水処理槽１２は、流量調整槽１１の下流に設けられており、排水処理槽１２の上方には、配管２２の端部が設けられている。
排水処理槽１２内には、図１及び図２に示すように、ばっ気手段７１と、ばっ気手段７１の下流側に配置された複数枚の平膜７３・７３・７３・・・を有する膜分離手段７２と、膜分離手段７２の下方に配置され、膜分離手段７２に対してばっ気するための膜分離手段用ばっ気手段７４と、膜分離手段７２の上方から散布する凝集剤を貯蔵する凝集剤散布手段７０と、を設ける。
排水処理槽１２の内部には、水位センサ５２が設けられており、水位センサ５２は制御装置６０に接続されている。
排水処理槽１２の下部には、沈殿した汚泥を引抜くための引抜き通路３７が設けられており、引抜き通路３７には引抜き弁３８が設けられている。
また、排水処理槽１２の上端付近には溢流通路３９が接続されており、排水処理槽１２内の排水（処理水）が満杯になった場合には溢流通路３９から強制的に外部へ排出される。
【００２０】
ばっ気手段７１は、排水内において気泡を発生させることにより、好気性微生物に空気を供給して、好気性微生物の活動を活発化させる。活発化した好気性微生物は、排水内の界面活性剤やその他の有機物を分解する。好気性微生物とは、汚泥に存在している微生物であり、本実施形態においては、特に排水内の界面活性剤やその他の有機物を分解する能力が高い微生物である。
ばっ気手段７１は、排水処理槽１２内の上流側の空間に配置されており、常に排水中に存在するように配置されている。
ばっ気手段７１によって放出された気泡は汚泥を巻き上げ攪拌するとともに、汚泥に生息する好気性微生物に対し空気を供給し、好気性微生物の活動を活発化する。これにより、好気性微生物による有機物の分解が進行する。
【００２１】
膜分離手段７２は、上流のばっ気手段７１により有機物の分解が進行した状態の排水を複数枚の平膜７３・７３・７３・・・を通して濾過することにより処理する手段である。膜分離手段７２は、排水処理槽１２に貯溜された排水中に複数枚の平膜７３・７３・７３・・・を浸漬させる浸漬型膜分離手段である。排水処理槽１２の膜分離手段７２よりも下流側には排出管２３の一端が連結されており、排出管２３の他端は外部に設けられている。排出管２３の中途部には排出ポンプ３３が設けられており、排出ポンプ３３によって吸引されることで排水が膜分離手段７２を上流側から下流側へと通過して濾過される。
また排出管２３の排出ポンプ３３よりも上流側には逆止弁３４が設けられており、処理水が逆流するのを防止する。排出管２３に流入した処理水は、排出管２３他端から排出される。
【００２２】
膜分離手段用ばっ気手段７４は、膜分離手段７２の表面に向かって気泡を発生させる手段である。膜分離手段用ばっ気手段７４は、膜分離手段７２の下方に設けられており、上方へ向かって気泡を発生させる。膜分離手段用ばっ気手段７４から発生した気泡は膜分離手段７２の表面に沿って浮上し、平膜７３・７３・７３・・・の表面に付着した有機物を剥離させる。
【００２３】
凝集剤散布手段７０は、凝集剤容器７５と、散布ノズル７６とを備える。凝集剤容器７５は、排水処理槽１２の上方であって、膜分離手段７２の上方に設けられている。凝集剤容器７５には、凝集剤投入通路７５ａが連結されている。また、凝集材投入通路７５ａの中途部には弁７５ｂが設けられている。凝集剤投入通路７５ａはパイプなどで構成されており、その一端に散布ノズル７６が設けられ、散布ノズル７６が、膜分離手段７２の直上方に配設されている。また、凝集剤投入通路７５ａの中途部には弁７５ｂが設けられており、弁７５ｂを開閉することにより、凝集剤の投入／非投入の切換が可能となっている。弁７５ｂは電磁弁で構成され、弁７５ｂのソレノイドは制御装置６０と接続されている。凝集剤容器７５には、凝集剤が貯溜されている。凝集剤とは、汚泥を凝集させることで粒子サイズを大きくし、沈降速度を高くする物質であり、例えば、アルミニウムや鉄を含んだ無機系の凝集剤や高分子系の凝集剤が用いられる。
【００２４】
ばっ気手段７１及び膜分離手段用ばっ気手段７４には一台の空気供給手段としてのブロワ８１が接続されている。ブロワ８１はばっ気手段７１及び膜分離手段用ばっ気手段７４と給気通路８２・８３を介して連結しており、給気通路８２・８３にはそれぞれ第一弁８４・第二弁８５が設けられている。
第一弁８４は、開閉を切り換えることによりばっ気手段７１への空気の供給及び遮断を切り換える。第一弁８４（のソレノイド）は制御装置６０に接続されている。
第二弁８５は、開閉を切り換えることにより膜分離手段用ばっ気手段７４への空気の供給及び遮断を切り換える。第二弁８５（のソレノイド）は制御装置６０に接続されている。
【００２５】
制御手段としての制御装置６０は、マイクロコンピュータ等の電子式制御装置であり、各種演算処理や制御を実行するための中央処理装置（ＣＰＵ）や、ＲＡＭやＲＯＭから構成される記憶装置等を備える。第一弁８４の開閉を周期的に行うことにより、ばっ気手段７１に間歇的にばっ気を行わせることができる。例えば、第一弁８４を第一所定時間Ｔ１の間「開」状態にした後、第二所定時間Ｔ２の間「閉」状態にし、再び第一所定時間Ｔ１の間「開」状態にすることを繰り返す。これにより、ブロワ８１を定期的に停止させることが可能となり、使用エネルギーを低減することが可能となる。
【００２６】
また、制御装置６０は、流量調整槽１１内の水位センサ５１の検出値に基づいて、流入ポンプ３１の開閉制御を行う。すなわち流量調整槽１１内の水位センサ５１の検出値が第一水位Ｈ１よりも高くなると、制御装置６０は流入ポンプ３１の駆動を停止する。また、流量調整槽１１内の水位センサ５１の検出値が第二水位Ｈ２よりも低くなると、制御装置６０は流入ポンプ３１の駆動を開始する。
なお、本実施形態においては、
Ｈ１＞Ｈ２
となるように第一水位Ｈ１（高水位）、第二水位Ｈ２を設定している。
このように構成することにより、発生する排水の量に関わらず安定的に排水処理槽１２へと排水を供給することが可能となる。
【００２７】
また、制御装置６０は、流量調整槽１１及び排水処理槽１２内の水位センサ５１・５２の検出値に基づいて、移送ポンプ３２の開閉制御を行う。流量調整槽１１内の水位センサ５１の検出値が第三水位Ｈ３よりも高く、かつ、排水処理槽１２内の水位センサ５２の検出値が第六水位Ｈ６よりも低ければ、制御装置６０は移送ポンプ３２の駆動を開始する。また、流量調整槽１１内の水位センサ５１の検出値が第四水位Ｈ４（低水位）よりも低く、かつ、排水処理槽１２内の水位センサ５２の検出値が第五水位Ｈ５（高水位）よりも高ければ、制御装置６０は移送ポンプ３２の駆動を停止する。
水位センサ５１・５２の検出値の組み合わせが上記以外の場合、具体的には、水位センサ５１の検出値が第三水位Ｈ３よりも高く、かつ、水位センサ５２の検出値が第六水位Ｈ６以上である場合、水位センサ５１の検出値が第四水位Ｈ４よりも低く、かつ、水位センサ５２の検出値が第五水位Ｈ５以下である場合、及び、水位センサ５１の検出値が第四水位以上第三水位Ｈ３以下である場合には、移送ポンプ３２のそれまでの運転状態を継続する。
なお、本実施形態においては、
Ｈ３＞Ｈ４
Ｈ５＞Ｈ６
となるように第三水位Ｈ３、第四水位Ｈ４、第五水位Ｈ５、第六水位Ｈ６を設定している。
【００２８】
また、制御装置６０は、排水処理槽１２内の水位センサ５２の検出値に基づいて、排出ポンプ３３の開閉制御を行う。すなわち排水処理槽１２内の水位センサ５２の検出値が第七水位Ｈ７よりも高くなると、制御装置６０は排出ポンプ３３の駆動を開始する。また、排水処理槽１２内の水位センサ５２の検出値が第八水位Ｈ８（低水位）よりも低くなると、制御装置６０は排出ポンプ３３の駆動を停止する。
なお、本実施形態においては、
Ｈ７＞Ｈ８
となるように第七水位Ｈ７、第八水位Ｈ８を設定している。
このように構成することにより、発生する排水の量に関わらず安定的に排水処理槽１２内において排水処理をすることが可能となる。
【００２９】
次に、排水処理装置１による排水処理の流れについて説明する。
例えば、理美容業を営む店舗から排出された排水は、洗髪液、毛染め液、パーマ液等の界面活性剤を含む。また前記排水は、毛髪や埃などの固形物を含む。
前記排水は、流入ポンプ３１が駆動中であれば、流入ポンプ３１によって流量調整槽１１へと送られる。流量調整槽１１の上流側には固形物捕集装置４１が設けられているため、排水内の毛髪や埃などの固形物は流量調整槽１１へ送られる途中で捕集される。
【００３０】
流量調整槽１１へ送られた排水は、流量調整槽１１内で一時的に貯溜される。この間に、固形物捕集装置４１で捕集されなかった固形物のうち重量の重いものは沈殿し汚泥として堆積する。
前記排水は、移送ポンプ３２が駆動中であれば、移送ポンプ３２によって排水処理槽１２へと送られる。配管２２の排水処理槽１２側の端部は排水処理槽１２の上方に設けられており、排水を下方へと流下させる。排水処理槽１２内には、予め好気性微生物を含む排水が貯溜されている。上方から排水処理槽１２内に流下した排水は排水処理槽１２内の水面と衝突して空気を取り込む。このように構成することにより、排水に空気が取り入れられ、好気性微生物の活動を活発にする。
【００３１】
排水処理槽１２へ送られた排水は、まず、ばっ気手段７１によって空気を供給される。ばっ気手段７１から発生した気泡は、排水処理槽１２へ送られた排水と貯溜されている排水とを攪拌しつつ、排水内に空気を含ませる。排水内の好気性微生物は空気に触れることで活発化し排水に含まれる界面活性剤やその他の有機物を分解する生物処理を行う。本実施形態においては、特に排水内の界面活性剤やその他の有機物を分解する。理美容業界においては、シリコーン系の界面活性剤が多く使用されているが、前記シリコーン系の界面活性剤はシリカケイ酸（シロキサン）に変質してイオン状またはコロイド状の物質となり排水処理装置１を構成する各装置に付着して堆積していた。特に、排水処理槽１２内の膜分離手段７２を構成する平膜７３・７３・７３・・・にシロキサンが付着することにより、膜分離手段７２の効率が著しく低下していた。そこで、膜分離手段７２の上流側にばっ気手段７１を配置したことにより、界面活性剤、特にシリコーン系の界面活性剤を好気性微生物によって分解する生物処理を前もって行うことで、シロキサンへの変質を防止し、コロイド化した物質が排水処理装置１を構成する各装置に付着するのを防止することができる。
【００３２】
ばっ気手段７１によって空気を取り入れ、好気性微生物によって界面活性剤を生物処理した後の排水は、排出ポンプ３３が駆動中であれば、排出ポンプ３３によって下流側（排出管２３側）へと吸引され、膜分離手段７２によって濾過される膜分離処理が行われる。膜分離手段７２の平膜７３・７３・７３・・・は、排水処理槽１２内における排水の流れに対して正対するように配置されている。すなわち、平膜７３・７３・７３・・・は、上下方向及び流れ方向に対する左右方向に対して平行となるように配置され、その面は、ばっ気手段７１側に向かうように配置されている。ばっ気手段７１において界面活性剤が分解された排水中に残った細かな汚泥は、膜分離手段７２の平膜７３・７３・７３・・・を通過する際に濾過される。
【００３３】
また、膜分離手段７２の上方から凝集剤を投入することにより、汚泥の粒子サイズが大きくなり、平膜７３に付着しやすくなる。更に平膜７３に付着した粒子サイズの大きな汚泥同士が凝集することで沈降しやすくなる。
【００３４】
ばっ気手段７１によって空気を取り入れ、好気性微生物によって界面活性剤を分解処理した後の排水が膜分離手段７２を通過するため、平膜７３・７３・７３・・・に付着する有機物の量が低減する。また、平膜７３・７３・７３・・・の表面に付着した有機物は、膜分離手段用ばっ気手段７４から発生した気泡によって平膜７３・７３・７３・・・から剥離して汚泥として沈殿する。
【００３５】
以上に本発明の実施形態を説明したが、上記の構成は更に以下のように変更することができる。
【００３６】
凝集剤散布手段７０は制御装置６０により制御される繰出装置を凝集剤容器７５の下部に設けて、凝集剤を繰出して散布する構成としてもよい。
また、膜分離手段用ばっ気手段７４も間歇的に作動させることも可能である。
【００３７】
以上のように、排水処理装置１は、界面活性剤を含む排水を処理するための排水処理装置１であって、流量調整槽１１と、流量調整槽１１の下流に配置された排水処理槽１２と、を設け排水処理槽１２内に、ばっ気手段７１と、ばっ気手段７１の下流側に配置された複数枚の平膜７３・７３・７３・・・を有する膜分離手段７２と、膜分離手段７２の下方に配置され、膜分離手段７２に対してばっ気するための膜分離手段用ばっ気手段７４と、を設け、ばっ気手段７１及び膜分離手段用ばっ気手段７４へ空気を供給する一個のブロワ８１を設けたものである。
このように構成することにより、膜分離手段７２による固液分離を行うよりも前に好気性微生物の作用で難分解性の界面活性剤の大部分を除去することにより、膜分離手段７２での界面活性剤のコロイド化を防止し、詰まりを防止することができる。そのため、排水処理装置１の耐久性向上を図ることが可能となる。また、メンテナンス作業を省略することも可能となる。
また、ばっ気手段７１と膜分離手段７２とを排水処理槽１２内に一緒に配置したことにより、排水処理装置１の省スペース化、小型化を実現することが可能となる。
また、ばっ気手段７１及び膜分離手段用ばっ気手段７４へ空気を供給するためのブロワ８１を共通にすることにより、排水処理装置１の省スペース化、小型化、及び省エネルギー化を実現することが可能となる。
【００３８】
また、ばっ気手段７１への空気の供給を制御するための制御装置６０を設け、制御装置６０は、ばっ気手段７１に間歇的にばっ気を行わせたものである。
このように構成することにより、ばっ気手段７１を定期的に停止させることができるので、省エネルギー化を実現することが可能となる。
【００３９】
また、膜分離手段７２は、複数枚のシート状の平膜７３・７３・７３・・・を有しており、複数枚の平膜７３・７３・７３・・・は排水処理槽１２内における排水の流れに対して正対するように配置されたものである。
このように構成することにより、膜分離手段７２の平膜７３において排水が通過する面積が大きくなるため、排水処理装置１の排水処理効率の向上を実現することが可能となる。
複数枚の平膜７３・７３・７３・・・を排水の流れに対して正対するように配置することにより省スペース化を実現することが可能となる。
【００４０】
また、膜分離手段７２の上方から凝集剤を散布する凝集剤散布手段７０を設けたものである。
このように構成することにより、凝集剤を散布することにより膜分離手段７２に付着した界面活性剤などから構成される汚泥が凝集し沈殿するため、排水処理装置１の耐久性向上を図ることが可能となる。また、膜分離手段７２のメンテナンス作業を省略することも可能となる。更に、膜分離手段用ばっ気手段７４から発生する気泡により凝集剤が撹拌され、凝集効果を高めることができる。
【符号の説明】
【００４１】
１    排水処理装置
１１    流量調整槽
１２    排水処理槽
６０    制御装置（制御手段）
７０    凝集剤散布手段
７１    ばっ気手段
７２    膜分離手段
７３    平膜
７４    膜分離手段用ばっ気手段
８１    ブロワ（空気供給手段）
【図１】
2013116453.tif 000003
【図２】
2013116453.tif 000004